(57)【要約】【課題】自動的に起動することが設定されている機能を確実に起動させる。【解決手段】複数の機能を有し、前記機能のうち少なくとも一の機能を起動する際に認証を要するか否かを設定する認証設定手段と、所定の楽音を再生する機能を自動的に起動する設定を行う起動設定手段と、前記起動設定手段により自動起動する機能に設定されている楽音が、再生時に認証が必要な楽音である場合に、当該楽音の再生に関して前記認証設定手段による認証動作が不要である設定になっているか否かを判定する判定手段と、前記判定手段による判定の結果、認証動作が不要である設定になっていない場合に警告メッセージを報知する警告手段と、を備え、前記楽音は、音に関するデータである音情報と、当該データに付随し、所定の禁止情報を含む情報が記載された付随情報とを含んで構成され、当該付随情報により認証が必要な楽音か否かを判断される。【選択図】図３
2010028869.tif 000002
【特許請求の範囲】
【請求項１】
複数の機能を有する携帯端末装置であって、
前記機能のうち少なくとも一の機能を起動する際に認証を要するか否かを設定する認証設定手段と、
所定の楽音を再生する機能を自動的に起動する設定を行う起動設定手段と、
前記起動設定手段により自動起動する機能に設定されている楽音が、再生時に認証が必要な楽音である場合に、当該楽音の再生に関して前記認証設定手段による認証動作が不要である設定になっているか否かを判定する判定手段と、
前記判定手段による判定の結果、認証動作が不要である設定になっていない場合に警告メッセージを報知する警告手段と
を備え、
前記楽音は、音に関するデータである音情報と、当該データに付随する情報が記載された付随情報とを含んで構成され、当該付随情報に所定の禁止情報が含まれるか否かに基づいて前記判定手段により認証が必要な楽音か否かを判断される
ことを特徴とする携帯端末装置。
【請求項２】
自装置の電源状態を管理する電源制御部を備え、
前記電源制御部は、自装置を自動的に電源ＯＦＦする設定を有し、
前記判定手段は、前記設定手段により自動起動が設定され、かつ前記電源制御手段により自動的に電源ＯＦＦする設定がなされている場合に、前記判定を行う
ことを特徴とする請求項１に記載の携帯端末装置。
【請求項３】
自装置の電源状態を管理する電源制御部を備え、
前記起動設定手段は、所定の時間の経過あるいは所定時刻になると自動起動すべき機能を設定するものであって、
前記電源制御部は、前記所定の時間の経過あるいは所定の時刻が到来した際に、自装置が電源ＯＦＦの状態ならば電源ＯＮ状態に遷移させて設定された機能を起動する
ことを特徴とする請求項１または２に記載の携帯端末装置。
【請求項４】
前記警告手段は、前記警告メッセージとして、前記認証動作を不要とする設定に変更するか否かを確認する報知を行い、
前記認証設定手段は、前記警告メッセージに対する応答入力に応じて前記認証動作の要否の設定を変更する
ことを特徴とする請求項１から３のいずれか一項に記載の携帯端末装置。
【請求項５】
前記警告手段により前記警告メッセージが報知されたにも関わらず認証動作が不要である設定に変更する入力が行われない場合は、前記自動起動再生時に認証が不要な楽音を再生する
ことを特徴とする請求項４に記載の携帯端末装置。
【請求項６】
通信網に接続可能な通信手段と、
当該通信手段による通信の際に用いられる識別情報を認識する識別情報認識手段と、
前記通信手段により楽音を取得すると、当該楽音に対し、当該楽音の取得の際の通信にて使用された識別情報を対応つけて記憶する楽音取得手段と、を備え、
前記楽音再生の際の認証動作は、当該楽音取得時の識別情報と再生時の識別情報とが一致するか否かの判定を含む
ことを特徴とする請求項１から５のいずれか一項に記載の携帯端末装置。
【請求項７】
前記識別情報が格納され、前記識別情報認識手段に接続されて前記識別情報が読み出される着脱式記憶媒体を備え、
前記着脱式記憶媒体には、暗証コードがさらに格納され、
前記認証動作は、前記暗証番号と一致するコードが入力されたか否かを判定する処理をさらに含む
ことを特徴とする請求項６に記載の携帯端末装置。
【請求項８】
複数の機能を有する携帯端末装置における機能設定制御方法であって、
前記機能のうち少なくとも一の機能を起動する際に認証を要するか否かを設定する認証設定ステップと、
所定の楽音を再生する機能を自動的に起動する設定を行う起動設定ステップと、
前記起動設定ステップにより自動起動する機能に設定される楽音が、再生時に認証が必要な楽音である場合に、当該楽音の再生に関して前記認証設定手段による認証動作が不要である設定になっているか否かを判定する判定ステップと、
前記判定ステップによる判定の結果、認証動作が不要である設定になっていない場合に警告メッセージを報知する警告ステップと
を有し、
前記楽音が、音に関するデータである音情報と、当該データに付随する情報が記載された付随情報とを含んで構成されており、前記判定ステップは、前記付随情報に所定の禁止情報が含まれるか否かにより認証が必要な楽音か否かを判断する
ことを特徴とする携帯端末装置における機能設定制御方法。
【発明の詳細な説明】
【技術分野】
【０００１】
本発明は、個人認証を行うことにより使用を制限することができる携帯端末装置及び機能設定制御方法に関する。
【背景技術】
【０００２】
従来からユーザの電話番号等の情報が書き込まれたＵＩＭ（User Identity Module）カードを筐体のカードリーダ内に挿入して使用する携帯端末装置が知られている。この携帯端末装置は、ＵＩＭカードがカードリーダに挿入されていない場合に、携帯端末装置が備えている機能の使用を制限することが可能である。また、ＵＩＭカードは、ＰＩＮ（Personal Identification Number）コードと呼ばれるパスワードに相当するコードをＵＩＭカード内に予め設定しておき、所望の機能を起動する直前にＰＩＮコード入力を要求し、入力されたＰＩＮコードが正当なものであれば、所望の機能を起動するという使用制限を行ったり、著作権のあるデータの利用時にＰＩＮコードによる認証を行うことにより第三者による不正利用を防止することにも使用されている。
【０００３】
一方、自動電源オン機能を有する携帯電話機において、複数の時刻にアラームが設定されている場合であっても、簡易な操作で自動電源オン機能を解除することが出来ると共に、簡易な操作で自動電源オン機能の設定を元の状態に戻すことができる携帯電話機が知られている（例えば、特許文献１参照）。
【先行技術文献】
【特許文献】
【０００４】
【特許文献１】特開２００１−２９８５２９号公報
【発明の概要】
【発明が解決しようとする課題】
【０００５】
ところで、ＰＩＮコードによる認証が必要な機能を起動しようとする場合において、手動で所望の機能を起動する場合は、ＰＩＮコードをその都度入力することにより所望の機能を起動することが可能であるが、予め設定した時刻に自動的に起動して、著作権のある楽音や楽曲を鳴動させるような機能においては、自動起動時にユーザがＰＩＮコードを入力することができないため、携帯端末装置が備えている機能を有効に使用することができないという問題がある。
【０００６】
本発明は、このような事情に鑑みてなされたもので、自動的に起動することが設定されている機能を確実に起動させることができる携帯端末装置及び機能設定制御方法を提供することを目的とする。
【課題を解決するための手段】
【０００７】
上記目的を達成するため、本発明の第１の観点によれば、複数の機能を有する携帯端末装置であって、前記機能のうち少なくとも一の機能を起動する際に認証を要するか否かを設定する認証設定手段と、所定の楽音を再生する機能を自動的に起動する設定を行う起動設定手段と、前記起動設定手段により自動起動する機能に設定されている楽音が、再生時に認証が必要な楽音である場合に、当該楽音の再生に関して前記認証設定手段による認証動作が不要である設定になっているか否かを判定する判定手段と、前記判定手段による判定の結果、認証動作が不要である設定になっていない場合に警告メッセージを報知する警告手段とを備え、前記楽音は、音に関するデータである音情報と、当該データに付随する情報が記載された付随情報とを含んで構成され、当該付随情報に所定の禁止情報が含まれるか否かに基づいて前記判定手段により認証が必要な楽音か否かを判断されることを特徴とする。
【０００８】
好適には、自装置の電源状態を管理する電源制御部を備え、前記電源制御部は、自装置を自動的に電源ＯＦＦする設定を有し、前記判定手段は、前記設定手段により自動起動が設定され、かつ前記電源制御手段により自動的に電源ＯＦＦする設定がなされている場合に、前記判定を行うことを特徴とする。
【０００９】
また、好適には、自装置の電源状態を管理する電源制御部を備え、前記起動設定手段は、所定の時間の経過あるいは所定時刻になると自動起動すべき機能を設定するものであって、前記電源制御部は、前記所定の時間の経過あるいは所定の時刻が到来した際に、自装置が電源ＯＦＦの状態ならば電源ＯＮ状態に遷移させて設定された機能を起動することを特徴とする。
【００１０】
さらに好適には、前記警告手段は、前記警告メッセージとして、前記認証動作を不要とする設定に変更するか否かを確認する報知を行い、前記認証設定手段は、前記警告メッセージに対する応答入力に応じて前記認証動作の要否の設定を変更することを特徴とする。
【００１１】
また、好適には、前記警告手段により前記警告メッセージが報知されたにも関わらず認証動作が不要である設定に変更する入力が行われない場合は、前記自動起動再生時に認証が不要な楽音を再生することを特徴とする。
【００１２】
また、好適には、通信網に接続可能な通信手段と、当該通信手段による通信の際に用いられる識別情報を認識する識別情報認識手段と、前記通信手段により楽音を取得すると、当該楽音に対し、当該楽音の取得の際の通信にて使用された識別情報を対応つけて記憶する楽音取得手段と、を備え、前記楽音再生の際の認証動作は、当該楽音取得時の識別情報と再生時の識別情報とが一致するか否かの判定を含むことを特徴とする。
【００１３】
さらに好適には、前記識別情報が格納され、前記識別情報認識手段に接続されて前記識別情報が読み出される着脱式記憶媒体を備え、前記着脱式記憶媒体には、暗証コードがさらに格納され、前記認証動作は、前記暗証番号と一致するコードが入力されたか否かを判定する処理をさらに含むことを特徴とする。
【００１４】
また、本発明の第２の観点によれば、複数の機能を有する携帯端末装置における機能設定制御方法であって、前記機能のうち少なくとも一の機能を起動する際に認証を要するか否かを設定する認証設定ステップと、所定の楽音を再生する機能を自動的に起動する設定を行う起動設定ステップと、前記起動設定ステップにより自動起動する機能に設定される楽音が、再生時に認証が必要な楽音である場合に、当該楽音の再生に関して前記認証設定手段による認証動作が不要である設定になっているか否かを判定する判定ステップと、前記判定ステップによる判定の結果、認証動作が不要である設定になっていない場合に警告メッセージを報知する警告ステップと、を有し、前記楽音には、音に関するデータである音情報と、当該データに付随する情報が記載された付随情報とを含んで構成されており、前記判定ステップは、前記付随情報に所定の禁止情報が含まれるか否かにより認証が必要な楽音か否かを判断することを特徴とする。
【発明の効果】
【００１５】
本発明によれば、起動の直前に認証が必要な機能を自動的に起動しようとする設定を行う場合に、認証動作が不要である設定になっているか否かを判定して、認証動作が不要である設定になっていない場合に警告メッセージを表示するようにしたため、自動的に起動
することが設定されている機能を確実に起動させることができるという効果が得られる。
【図面の簡単な説明】
【００１６】
【図１】本発明の一実施形態の構成を示すブロック図である。
【図２】図１に示す携帯端末装置における電源ＯＮ時の動作を示すフローチャートである。
【図３】図１に示す携帯端末装置におけるアラーム設定処理時の動作を示すフローチャートである。
【図４】図１に示す携帯端末装置における電源ＯＦＦ時の動作を示すフローチャートである。
【図５】図１に示す携帯端末装置における機能呼び出し時の動作を示すフローチャートである。
【発明を実施するための形態】
【００１７】
以下、本発明の一実施形態による携帯端末装置を図面を参照して説明する。図１は同実施形態の構成を示すブロック図である。この図において、符号１は、携帯端末装置の処理動作を統括して制御するＣＰＵである。符号２は、ダイヤルキー、ファンクションキー等を配列したキーパネルから構成する入力部である。符号３は、液晶のディスプレイ装置等から構成する表示部である。符号４は、図示しない基地局との間で無線通信回線を確立して、音声通話や情報通信を行う無線通信部である。符号５は、無線通信部４が確立した通信回線を介して、音声通話を行う音声処理部であり、話者の音声を集音するマイク６と、通話相手の音声を発音する受話スピーカ７が接続される。符号８は、着信音の発音や楽曲を再生した場合の楽音を発音するリングスピーカである。符号９は、携帯端末装置を動作させるためのアプリケーションプログラム等が予め格納されるいるとともに、ユーザが任意のデータを格納する記憶部である。符号１０は、携帯端末装置が備えるアプリケーション機能を実行するアプリケーション処理部である。符号１１は、現在の日時情報を出力するタイマである。符号１２は、携帯端末装置を動作させるための電力を供給するバッテリである。符号１３は、バッテリ１２の電力をＯＮ／ＯＦＦすることにより携帯端末装置の電源をＯＮ状態またはＯＦＦ状態に切り替える電源制御部である。なお、電源ＯＦＦ状態とは、内部のほとんどのデバイスに対して電力供給を停止している状態であるが、ＣＰＵ１を省電力のスリープモードに遷移させて動作可能な状態であるとともに、少なくともタイマ１１は日時情報をＣＰＵ１に対して出力している状態のことであり、バッテリ１２の電力を完全にＯＦＦにするというものではない。符号１４は、ユーザの電話番号情報等が書き込まれているＵＩＭカードである。符号１５は、ＵＩＭカード１４に書き込まれている情報を読み出すＵＩＭカードリーダである。
【００１８】
次に、図２を参照して、携帯端末装置の電源をＯＮにしたときの動作を説明する。まず、ユーザは、入力部２の電源キーを長押しすることにより電源をＯＮ状態にする（ステップＳ１）。この電源ＯＮ状態にするのは、電源制御部１３が予め決められた時刻に自動的に電源ＯＮにした状態であってもよい。ＣＰＵ１は、電源ＯＮ状態を検出すると、ＵＩＭカードリーダ１５にＵＩＭカードが挿入されているかを検出し、ＵＩＭカード１４が検出できたか否かを判定する（ステップＳ２）。この判定の結果、ＵＩＭカード１４が検出できない場合、ＣＰＵ１は、機能の使用を制限した状態で起動する（ステップＳ５）。ＵＩＭカード１４が検出できない場合、電話の発着信、メールの送受信、インターネット接続、アドレス帳参照、データフォルダ展開、著作権保護データの再生等の機能は全く使用できない状態で携帯端末装置が起動することになる。
【００１９】
一方、ＵＩＭカード１４が検出できた場合、ＣＰＵ１は、ＵＩＭ認証を行う（ステップＳ３）。ここでいうＵＩＭ認証とは、ＵＩＭカード１４に記憶されているＵＩＭキー、ＰＩＮコード及び携帯端末装置を動作させるために必要なパラメータをＵＩＭカードリーダ１５を介してＵＩＭカード１４から読み出し、記憶部９に記憶するとともに、無線通信部４によりネットワーク内の位置登録を行うことである。続いて、ＣＰＵ１は、携帯端末装置が備えている機能を起動しようとするときに、ＰＩＮコード入力によるＰＩＮ認証が必要な設定になっているか否かを判定する（ステップＳ４）。この判定の結果、ＰＩＮ認証が必要な設定になっている場合、ＣＰＵ１は、機能の使用を制限した状態で起動する（ステップＳ５）。ＰＩＮ認証が必要な設定になっている場合もＵＩＭカード１４が検出できない場合と同様に、電話の発着信、メールの送受信、インターネット接続、アドレス帳参照、データフォルダ展開、著作権保護データの再生等の機能は全く使用できない状態で携帯端末装置が起動することになる。ただし、各機能を呼び出す（起動）する度にＰＩＮコードを入力することにより使用可能となる。ＰＩＮコードとは、ユーザが任意に設定した４〜８桁の番号であり、パスワードに相当するものである。また、ＰＩＮ認証が不要である設定になっている場合、ＣＰＵ１は、使用可能な機能の制限がない状態で携帯端末装置を起動する。この動作により、携帯端末装置は、制限付きまたは制限なしの状態で起動することになる。
【００２０】
次に、図３を参照して、予め設定した経過時間または設定時刻に所定の楽音を鳴動させるアラーム設定を行う動作を説明する。まずユーザは、入力部２を操作して、アラーム機能を起動する操作を行う（ステップＳ１１）。これを受けて、ＣＰＵ１は、アプリケーション処理部１０に対して、アラーム機能設定を行う指示を出力する。アプリケーション処理部１０は、表示部３に設定項目の入力を指示するメッセージを表示する。このメッセージに対してユーザは、アラーム設定に必要な項目を入力部２を操作して、登録指示を行うまで設定項目を入力する（ステップＳ１２、Ｓ１３）。ここでユーザが設定するべき項目は、アラームを鳴動させるアラーム時刻または経過時間の設定、鳴動させる楽音（または楽曲）の選択、アラーム機能の起動直前に自動的に電源をＯＮにする自動パワーオン機能を使用するか否かの設定である。この設定操作が終了した時点で、ユーザが入力部２を操作して、登録を行う操作を行うと、アプリケーション処理部１０は、設定項目の内容を内部に保持する。そして、アプリケーション処理部１０は、記憶部９を参照して、現時点において、所定のタイミング（例えば、設定時刻）で自動的に電源をＯＦＦにする自動パワーオフ機能が設定されているか否かを判定する（ステップＳ１４）。この自動パワーオフ機能の設定は、ユーザが事前に行い、設定内容を記憶部９に記憶しておいた内容である。この判定の結果、自動パワーオフ機能が設定されていなければ、アプリケーション処理部１０は、内部に保持しているアラーム機能の設定項目情報を記憶部９へ登録する（ステップＳ２１）。
【００２１】
一方、自動パワーオフ機能が設定されている場合、アプリケーション処理部１０は、アラーム機能の起動時に鳴動させる楽音または楽曲にＰＩＮ認証が必要なものが選択されているか否かを判定する（ステップＳ１５）。この判定の結果、ＰＩＮ認証が必要な楽音または楽曲が選択されていなければ、アプリケーション処理部１０は、内部に保持しているアラーム機能の設定項目情報を記憶部９へ登録する（ステップＳ２１）。
【００２２】
次に、ＰＩＮ認証が必要な楽音または楽曲が選択されている場合、アプリケーション処理部１０は、記憶部９を参照して、現時点において、起動を制限されている各機能の起動時にＰＩＮ認証が必要な設定になっているか否かを判定する（ステップＳ１６）。このＰＩＮ認証が必要か否かの設定は、ユーザが事前に行い、設定内容を記憶部９に記憶しておいた内容である。この判定の結果、ＰＩＮ認証が必要な設定になっていなければ、アプリケーション処理部１０は、内部に保持しているアラーム機能の設定項目情報を記憶部９へ登録する（ステップＳ２１）。
【００２３】
一方、ＰＩＮ認証が必要な設定になっていれば、アプリケーション処理部１０は、表示部３に警告メッセージを表示する（ステップＳ１７）。ここで表示するメッセージは、「ＰＩＮ認証要否の設定を不要に設定しないと、選択された楽音（または楽曲）を自動的に再生することはできません。ＰＩＮ認証要否の設定を不要に設定しますか？」等のメッセージであり、現時点の設定状態では、自動的に楽音を再生できないことを通知するとともに、ＰＩＮ認証要否の設定を不要に設定するかを問い合わせるものである。このメッセージに対して、ユーザは、入力部２を操作して、「はい」または「いいえ」で応答する。アプリケーション処理部１０は、この応答内容を読み取り、ＰＩＮ認証が不要の設定にするか否かを判定する（ステップＳ１８）。ユーザの応答が「はい」である場合、アプリケーション処理部１０は、ＰＩＮ認証が不要である設定に切替え、記憶部９に記憶されている設定内容を更新することにより、ＰＩＮ認証が不要な設定に置き換える（ステップＳ１９）。ユーザの応答が「いいえ」である場合、アプリケーション処理部１０は、内部に保持しており鳴動させる楽音を認証が不要な楽音（予めデフォルト設定されている楽音）に設定し直す（ステップＳ２０）。そして、アプリケーション処理部１０は、内部に保持しているアラーム機能の設定項目情報を記憶部９へ登録する（ステップＳ２１）。この動作により、アラーム機能の設定内容が記憶部９に記憶されることになる。
【００２４】
ここで、アラーム機能の起動時に鳴動させる楽音（または楽曲）の取得動作について説明する。入力部２により、希望する楽曲のネットワークからの取得が指示されると、無線通信部４は、図示しない基地局を介して通信網上のサーバに接続を行う。このとき、通信網や基地局との接続には、アプリケーション処理部１０が記憶部９内のインターネット接続処理のプログラムを実行し、ＵＩＭカード１４（着脱式記録媒体）に格納されていた端末ＩＤを用いてネットワーク認証を行うことにより行う。サーバは、楽曲リストを携帯端末装置へ送信し、表示部３に楽曲リストを表示する。入力部２の操作により、希望する楽曲を指定すると、当該指定された楽曲をサーバからダウンロードを行う。このとき、楽曲データが著作権保護対象として指定されたデータであるか否かを判断する。楽曲データは、実際の音情報（圧縮音声や音程・音色などのデータ）の他に付属情報が記述される領域も含んで構成される。この領域には、データのサイズや再生形式のほか、この楽曲コンテンツの作成者がコピーなどを禁止したい場合の著作権フラグ（禁止情報）を付加することのできる著作権フラグ領域も含まれている。
【００２５】
携帯端末装置は、ダウンロードした楽曲のデータに付属情報として著作権フラグ（禁止情報）が含まれていたならば、ダウンロードした通信のときに用いた端末ＩＤと、ダウンロードした楽曲データとを対応付けて記憶部９に格納する。これにより、楽曲データをコピーしても他の携帯端末装置では再生できないなど、ダウンロードした本人でしか楽しむことができないようにするための著作権の保護を行うことができる。
【００２６】
また、ＵＩＭカード１４には識別情報としての端末ＩＤのほかにＰＩＮコード（認証コード）が格納されている。著作権保護対象の楽曲コンテンツを再生する際には、再生が指示された時点で装着されているＵＩＭカード１４に含まれる端末ＩＤが、再生指示される楽曲に対応付けられている端末ＩＤと一致するか否かを判断する。また、ＰＩＮ認証の際には、装着されているＵＩＭカード１４からＰＩＮコードを読み出し、入力部２から入力される文字・数値の組み合わせ（コード）が一致するか否かを判定することにより行われる。
【００２７】
次に、図４を参照して、ユーザの操作によって携帯端末装置の電源をＯＦＦにしたときの動作を説明する。ユーザの操作による電源キーの長押しを検出した場合、ＣＰＵ１は、アプリケーション処理部１０に対して、電源ＯＦＦ時の処理を実行することを指示する。これを受けて、アプリケーション処理部１０は、記憶部９を参照して、現時点でアラーム機能の設定がなされているか否かを判定する（ステップＳ３１）。この判定の結果、アラーム機能が設定されていなければ、アプリケーション処理部１０は、ＣＰＵ１に対して電源ＯＦＦ時の処理の実行が終了したことを通知する。一方、アラーム機能が設定されている場合、アプリケーション処理部１０は、アラーム機能の起動時に鳴動させる楽音または楽曲にＰＩＮ認証が必要なものが選択されているか否かを判定する（ステップＳ３２）。この判定の結果、ＰＩＮ認証が必要な楽音または楽曲が選択されていなければ、アプリケーション処理部１０は、ＣＰＵ１に対して電源ＯＦＦ時の処理の実行が終了したことを通知する。
【００２８】
次に、ＰＩＮ認証が必要な楽音または楽曲が選択されている場合、アプリケーション処理部１０は、記憶部９を参照して、現時点において、起動を制限されている各機能の起動時にＰＩＮ認証が必要な設定になっているか否かを判定する（ステップＳ３３）。このＰＩＮ認証が必要か否かの設定は、ユーザが事前に行い、設定内容を記憶部９に記憶しておいた内容である。この判定の結果、ＰＩＮ認証が必要な設定になっていなければ、アプリ
ケーション処理部１０は、ＣＰＵ１に対して電源ＯＦＦ時の処理の実行が終了したことを通知する。
【００２９】
一方、ＰＩＮ認証が必要な設定になっていれば、アプリケーション処理部１０は、表示部３に警告メッセージを表示する（ステップＳ３４）。ここで表示するメッセージは、「ＰＩＮ認証要否の設定を不要に設定しないと、選択された楽音（または楽曲）を自動的に再生することはできません。ＰＩＮ認証要否の設定を不要に設定しますか？」等のメッセージであり、現時点の設定状態では、自動的に楽音を再生できないことを通知するとともに、ＰＩＮ認証要否の設定を不要に設定するかを問い合わせるものである。このメッセージに対して、ユーザは、入力部２を操作して、「はい」または「いいえ」で応答する。アプリケーション処理部１０は、この応答内容を読み取り、ＰＩＮ認証が不要の設定にするか否かを判定する（ステップＳ３５）。ユーザの応答が「はい」である場合、アプリケーション処理部１０は、ＰＩＮ認証が不要である設定に切替え、記憶部９に記憶されている設定内容を更新することにより、ＰＩＮ認証が不要な設定に置き換える（ステップＳ３６）。ユーザの応答が「いいえ」である場合、アプリケーション処理部１０は、内部に保持しており鳴動させる楽音を認証が不要な楽音（予めデフォルト設定されている楽音）に設定し直す（ステップＳ３７）。続いて、アプリケーション処理部１０は、ＣＰＵ１に対して電源ＯＦＦ時の処理の実行が終了したことを通知する。
【００３０】
次に、ＣＰＵ１は、アプリケーション処理部１０から電源ＯＦＦ時の処理の実行が終了したことの通知を受けると、無線通信部４に対して、通信を行うために接続されていたネットワークとの切断処理の実行を指示する。これを受けて、無線通信部４は、ネットワークへの接続を切断する処理を実行する（ステップＳ３８）。そして、各処理部は、電源ＯＦＦ時に行う必要があるパラメータを記憶部９へ保存する（ステップＳ３９）。また、ＣＰＵ１は、表示部３に電源ＯＦＦ通知の画面を表示し（ステップＳ４０）、スリープモードへ移行するとともに、電源制御部１３に対して、電源切断を指示する。これを受けて、電源制御部１３は、各処理部に対する電力供給を切断する（ステップＳ４１）。この動作により、携帯端末装置の電源がＯＦＦされることになる。
【００３１】
次に、図５を参照して、所望の機能を呼び出して実行する動作を説明する。まず、ユーザが入力部２の電源キーを長押しすることにより携帯端末装置を電源ＯＮ状態とすると、携帯端末装置は、前述した動作（図２に示す動作）に基づいて、制限付きまたは制限なしの状態で起動することになる。ここで、ユーザが入力部２から所望の機能を呼び出す操作を行うと、ＣＰＵ１は、アプリケーション処理部１０に対して、呼び出された機能を起動する指示を出力する（ステップＳ５１）。また、アラーム機能や自動パワーオン機能のように、自動的に起動する機能の場合、アプリケーション処理部１０は、タイマ１１が出力する日時情報を参照して、設定時刻になった時点で、設定されている機能を起動する。
【００３２】
次に、アプリケーション処理部１０は、記憶部９を参照して、ＰＩＮ認証が必要な設定になっているか否かに基づいて、現時点が制限付きの起動状態であるか否かを判定する（ステップＳ５２）。この判定の結果、現時点が制限付きの起動状態でなければ（ＰＩＮ認証が不要である設定になっていれば）、アプリケーション処理部１０は、呼び出された機能を実行する（ステップＳ５８）。例えば、電源ＯＦＦ時に、ＰＩＮ認証が不要な設定にしておいた場合は、自動パワーオン機能により制限なし状態で携帯端末装置が電源ＯＮ状態となり、設定時刻に予め選択された楽音または楽曲がスピーカ８から再生されてアラーム機能が実行されることになる。
【００３３】
一方、現時点において制限付きの起動状態である場合、アプリケーション処理部１０は、呼び出された機能が制限対象の機能であるか否かを判定する（ステップＳ５３）。この判定の結果、呼び出された機能が制限対象の機能でなければ、アプリケーション処理部１０は、呼び出された機能を実行する（ステップＳ５８）。
【００３４】
次に、呼び出された機能が制限対象の機能であれば、アプリケーション処理部１０は、ＵＩＭカードリーダ１５にＵＩＭカード１４が挿入されているか否かを判定する（ステップＳ５４）。この判定の結果、ＵＩＭカード１４が挿入されていなければ、アプリケーション処理部１０は、表示部３にＵＩＭカード挿入を要求するメッセージを表示して処理を終了する。
【００３５】
一方、ＵＩＭカード１４が挿入されていれば、アプリケーション処理部１０は、ＰＩＮコード入力を要求するメッセージを表示部３へ表示する（ステップＳ５６）。ここでユーザは、予め設定されたＰＩＮコードを入力部２から入力する。アプリケーション処理部１０は、入力されたＰＩＮコードが正しいものであるか否かを判定し（ステップＳ５７）、入力されたＰＩＮコードが正しいものであれば、呼び出された機能を実行する（ステップＳ５８）。もし、入力されたＰＩＮコードが正しいものでなければ、アプリケーション処理部１０は、再びＰＩＮコード入力を要求するメッセージを表示する。そして、誤ったＰＩＮコードの入力が所定回数（例えば３回）続いた場合、アプリケーション処理部１０は、呼び出された機能を実行することができないことを示すエラーメッセージを表示部３に表示して処理を終了する。この動作によって、所望の機能を呼び出す場合に、ＰＩＮコード入力を要求し、入力されたＰＩＮコードが正当なものであれば、呼び出された機能が実行されることになる。
【００３６】
このように、起動の直前に認証が必要な機能を自動的に起動しようとする設定を行う場合に、認証動作が不要である設定になっているか否かを判定して、認証動作が不要である設定になっていない場合に警告メッセージを表示するようにしたため、自動的に起動することが設定されている機能を確実に起動させることができる。また、警告メッセージを電源ＯＦＦの直前に表示し、ユーザの応答に応じてＰＩＮ認証が不要な設定に切り替える設定を電源ＯＦＦの直前に行うようにしたため、ＰＩＮ認証が不要な設定の状態で携帯端末装置が使用される時間を極力短くすることができる。
【００３７】
なお、本発明の携帯端末装置は、移動通信を使用した携帯電話機や移動通信機能を有した携帯情報端末（ＰＤＡ）、モバイル端末、カーナビ装置などを含むものである。また本発明の携帯端末装置は、必ずしも通信機能を備えている必要はない。
【００３８】
なお、図１における処理部の機能を実現するためのプログラムをコンピュータ読み取り可能な記録媒体に記録して、この記録媒体に記録されたプログラムをコンピュータシステムに読み込ませ、実行することにより機能設定制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに
記録されているプログラムとの組み合わせで実現できるもの、いわゆる差分ファイル（差分プログラム）であっても良い。
【符号の説明】
【００４０】
１・・・ＣＰＵ、２・・・入力部、３・・・表示部、４・・・無線通信部、５・・・音声処理部、６・・・マイク、７、８・・・スピーカ、９・・・記憶部、１０・・・アプリケーション処理部、１１・・・タイマ、１２・・・バッテリ、１３・・・電源制御部、１４・・・ＵＩＭカード、１５・・・ＵＩＭカードリーダ
【図１】
2010028869.tif 000003
【図２】
2010028869.tif 000004
【図３】
2010028869.tif 000005
【図４】
2010028869.tif 000006
【図５】
2010028869.tif 000007